(57)【要約】      （修正有）【課題】目的地への案内を明確にするスタンド装置を提供する。【解決手段】スタンド装置１は、ベース２と、該ベース２から立設されるポール３と、該ポール３に支持されて、ベルト部材Ｂの基端側を保持するとともに、ベルト部材Ｂの先端部を係止可能なベルト内蔵部４と、を備え、ポール３のベース２とベルト内蔵部４との間に固定されて、上下方向に延在する軸部と、該軸部に回転可能に支持される表示部６０と、を有している。【選択図】図１
0003225522.tif 000002
【実用新案登録請求の範囲】
【請求項１】
ベースと、該ベースから立設されるポールと、該ポールに支持されて、ベルト部材の基端側を保持するとともに、前記ベルト部材の先端部を係止可能なベルト内蔵部と、を備え、
前記ポールの前記ベースと前記ベルト内蔵部との間に固定されて、上下方向に延在する軸部と、該軸部に回転可能に支持される表示部と、を有していることを特徴とするスタンド装置。
【請求項２】
弾性部材から構成されて、前記ポールと前記軸部との隙間を覆うカバー部材を有していることを特徴とする請求項１に記載のスタンド装置。
【考案の詳細な説明】
【技術分野】
【０００１】
本考案は、スタンド装置に関する。
【背景技術】
【０００２】
従来、銀行や展示会場等において、来場者を目的地に誘導するためにスタンド装置を設置する場合がある（例えば、特許文献１参照）。従来のスタンド装置は、ベースと、ベースに支持されたスタンドと、スタンドのベースから離れた頂部に設けられて、内蔵されたベルトを引出し可能なベルト内蔵部と、を有して構成されている。このような従来のスタンド装置は、所定の間隔をあけて設置され、隣接するスタンド装置間にベルト内蔵部から引き出したベルトが架け渡されて、来場者を目的地に誘導するための案内路が形成される。
【先行技術文献】
【特許文献】
【０００３】
【特許文献１】意匠登録第１２２５３０８号公報
【考案の概要】
【考案が解決しようとする課題】
【０００４】
しかしながら、従来のスタンド装置では、来場者に、案内路の入り口や出口を案内することが困難だった。即ち、来場者の目的地への案内が不十分だった。
【０００５】
本考案の目的は、目的地への案内を明確にするスタンド装置を提供することにある。
【課題を解決するための手段】
【０００６】
上記目的は、以下の本考案によって解決される。
即ち、本考案は、ベースと、該ベースから立設されるポールと、該ポールに支持されて、ベルト部材の基端側を保持するとともに、前記ベルト部材の先端部を係止可能なベルト内蔵部と、を備えたスタンド装置であって、前記ポールの前記ベースと前記ベルト内蔵部との間に固定されて、上下方向に延在する軸部と、該軸部に回転可能に支持される表示部と、を有していることを特徴とするスタンド装置である。
【０００７】
以上のような本考案によれば、スタンド装置は、ベースと、該ベースから立設されるポールと、該ポールに支持されて、ベルト部材の基端側を保持するとともに、ベルト部材の先端部を係止可能なベルト内蔵部と、を備え、ポールのベースとベルト内蔵部との間に固定されて、上下方向に延在する軸部と、該軸部に回転可能に支持される表示部と、を有している。即ち、表示部が、上下方向に延在する軸部に回転可能に支持されていることにより、表示部を、来場者が見やすい向きに設置することができる。これにより、来場者の目的地への案内を明確にすることができる。ここで、例えば、従来技術の如く、隣接するスタンド装置間にベルト内蔵部から引き出したベルト部材が架け渡されて、来場者を目的地に誘導するための案内路が形成された場合には、表示部に、「入り口」や「出口」等の文字を記載することで、来場者の目的地への案内を、より一層、明確することができる。
【０００８】
また、弾性部材から構成されて、ポールと軸部との隙間を覆うカバー部材を有していることが好ましい。これによれば、来場者が表示部に当たって、表示部を回転させても、カバー部材がその弾性力で表示部を元の位置に復帰させる。また、ポールと軸部との隙間に指や物が挟まることを抑制できる。
【考案の効果】
【０００９】
本考案によれば、来場者の目的地への案内を明確にすることができる。
【図面の簡単な説明】
【００１０】
【図１】本考案の一実施の形態にかかるスタンド装置を含むゲート装置の設置状態を示す斜視図である。
【図２】前記スタンド装置を示す正面図である。
【図３】前記スタンド装置を構成する表示部を示す背面図である。
【図４】前記スタンド装置を示す平面図である。
【図５】前記スタンド装置の変形例を示す正面図である。
【考案を実施するための形態】
【００１１】
以下、本考案の一実施の形態にかかるスタンド装置を含むゲート装置を、図１〜４を参照して説明する。図１は、本考案の一実施の形態にかかるスタンド装置１を含むゲート装置１０の設置状態を示す斜視図である。
【００１２】
ゲート装置１０は、図１に示すように、左右方向（矢印Ｘ方向）に間隔をあけて設置された一対の第１スタンド部１、１（スタンド装置）と、各第１スタンド部１の後方（矢印Ｙ方向）に、間隔をあけて設置される図示例では４本（複数）の第２スタンド部１２と、を有して構成されている。ゲート装置１０は、隣接するスタンド部１、２の間に、ベルト部材Ｂが架け渡されることで、領域を区画して、来場者を案内する案内路Ｒを形成する。
【００１３】
本実施形態では、一対の第１スタンド部１、１が対向する方向を矢印Ｘ（左右方向）で示し、第２スタンド部１２が並ぶ方向を矢印Ｙ（前後方向）で示し、矢印Ｘと矢印Ｙに直交する方向（上下方向）を矢印Ｚで示す場合がある。
【００１４】
各第１スタンド部１は、図２、４に示すように、ＸＹ平面上の設置面に設置されるベース２と、該ベース２から立設される円柱状のポール３と、該ポール３のベース２から離れた頂部に支持されて、ベルト部材Ｂの基端側を保持するベルト内蔵部４と、ポール３において、ベース２とベルト内蔵部４との上下の間に固定されて、軸部５３を含む支持部５（図５に示す）と、軸部５３に回転可能に支持される表示部材６と、ポール３と軸部５３との隙間Ｓ（図５に示す）を覆うカバー部材７と、を有して構成されている。なお、  図５は、第１スタンド部１１（スタンド装置）の変形例を示す正面図である。図５に示す第１スタンド部１１は、カバー部材を有していないので、支持部５が露出している。よって、本実施形態では、支持部５や表示部材６について、図５を参照して説明する場合がある。
【００１５】
ベルト部材Ｂは、図１に示すように、所定幅を有する帯板状に形成されている。このベルト部材Ｂは、基端部がベルト内蔵部４に保持され、先端部には、係止部８が固定されている。係止部８は、後述するベルト内蔵部４の係止受け部９Ａ、９Ｂ、９Ｃに係止可能に構成されている。
【００１６】
ベルト内蔵部４は、図２、４に示すように、ポール３の頂部に支持される筒状部４１と、該筒状部４１の上面を覆う天板部４２と、該天板部４２の中心から下方に連続して設けられて、ベルト部材Ｂの基端部が保持される不図示の軸心部と、該軸心部にベルト部材Ｂの先端側を巻き付けるための付勢力を生じさせる不図示のバネ部と、を有して構成されている。
【００１７】
筒状部４１は、図２、４に示すように、筒部本体４１０と、該筒部本体４１０の周壁の一部を切り欠いて形成されてベルト部材Ｂを挿通させるベルト挿通部４１１と、ベルト部材Ｂの係止部８を係止させる係止受け部９Ａ、９Ｂ、９Ｃと、を有して構成されている。ベルト挿通部４１１はベルト部材Ｂが挿通されて、該ベルト挿通部４１１から筒部本体４１０の外側にベルト部材Ｂが引き出されるようになっている。係止受け部９Ａ、９Ｂ、９Ｃは、筒部本体４１０の周面に、間隔をあけて設けられている。係止受け部９Ａ、９Ｃは、左右方向（矢印Ｘ方向）に対向して設けられ、係止受け部９Ｂは、ベルト挿通部４１１と前後方向（矢印Ｙ方向）に対向して設けられている。
【００１８】
支持部５は、図５に示すように、ポール３の外面に固定されて、上下方向（矢印Ｚ方向）に延在する固定板部５０、及び固定板部５０の上下の両端から左右方向（矢印Ｘ方向）突出する一対の突出部５１、５１を有するＬ字固定部５２と、該Ｌ字固定部５２の一対の突出部５１、５１の間に固定されて上下方向に延在する軸部５３と、を有して構成されている。固定板部５０は、ベルト内蔵部４の下方の位置で、係止受け部９Ａと対向する位置にポール３に固定されている。即ち、固定板部５０は、ポール３の中心軸を中心として、スリット挿通部４１１から９０度ずれた位置に設けられている。
【００１９】
表示部材６は、図２、３に示すように、矩形板状の表示部６０と、該表示部６０を支持部５の軸部５３に回転可能に保持する回転保持部６１と、を有して構成されている。
【００２０】
表示部６０は、低発泡ボード（ソフロン）やアクリル板から成り、道路標識や文字が記載されたシートが貼付されて形成されている。本実施形態では、表示部６０の一方の面６０Ａには、図２に示すように、進入禁止の道路標識、「出口」、及び「ＥＸＩＴ」との標識や文字が記載され、表示部６０の他方の面６０Ｂには、図３に示すように、「出口はこちらです」との文字が記載されている。
【００２１】
回転保持部６１は、図５に示すように、左右方向（矢印Ｘ方向）の一端部に設けられ、軸部５３を中心として回転可能に保持される保持部本体６２と、該保持部本体６２の左右方向の他端側に連続して設けられ、表示部６０をビス止め可能なビス固定部６３と、を有して構成されている。保持部本体６２には、軸部５３を挿入可能な挿入部６４が設けられている。
【００２２】
カバー部材７は、図２、４、５に示すように、弾性部材から構成されて、ポール３と軸部５３との隙間Ｓ（図５に示す）を覆うことが可能な大きさの２枚の矩形状板部材７０Ａ、７０Ｂから構成されている。本実施形態では、支持部５の固定板部５０と軸部５３との隙間Ｓは、２枚の矩形状板部材７０Ａ、７０Ｂによって前後から覆われている。また、本実施形態では、表示部６０が回転した際に、保持部本体６２がカバー部材７に当たってカバー部材７が弾性変形することで、表示部６０を元の位置に復帰させる。
【００２３】
各第２スタンド部１２は、図１に示すように、地面に設置可能なベース２と、該ベース２から立設される円柱状のポール３と、該ポール３のベース２から離れた頂部に支持されて、ベルト部材Ｂの基端側を保持するベルト内蔵部４と、を有して構成されている。ベース２、ポール３及びベルト内蔵部４については、第１スタンド部１のベース２、ポール３及びベルト内蔵部４と同一構成乃至同一形状であるため、同一符号を付与して、詳細な説明を省略する。
【００２４】
このようなゲート装置１０は、図１に示すように、一対の第１スタンド部１、１をＸ方向に間隔をあけて設置し、第２スタンド部１２を、各第１スタンド部１のＹ方向の後方に間隔をあけて設置する。次に、各第２スタンド１２からベルト部材Ｂを引き出して、ベルト部材Ｂの係止部８を、Ｙ方向の前方に位置する第２スタンド部１２（または第１スタンド１）の係止受け部９Ｂに係止させる。このようにしてスタンド部１、１２の間にベルト部材Ｂを架け渡して、一対の第１スタンド部１、１の間にＹ方向に延在する案内路Ｒを形成する。最後に、表示部６０を回転させ、表示部６０を、その面方向が前後方向（矢印Ｙ方向）に直交する向きに設置する。即ち、表示部６０を、案内路Ｒを塞ぐ向きに設置する。このようにしてゲート装置１０は完成する。
【００２５】
上述した実施形態によれば、表示部６０が、上下方向（矢印Ｚ方向）に延在する軸部５３に回転可能に支持されていることにより、表示部６０を、来場者が見やすい向きに設置することができる。これにより、来場者の目的地への案内を明確にすることができる。また、隣接するスタンド部１、１２の間にベルト内蔵部４から引き出したベルト部材Ｂが架け渡されて、来場者を目的地に誘導するための案内路Ｒが形成された場合には、表示部６０に、「入り口」や「出口」等の文字を記載することで、来場者の目的地への案内を、より一層、明確することができる。
【００２６】
また、スタンド装置１は、弾性部材から構成されて、ポール３と軸部５３との隙間Ｓを覆うカバー部材７を有している。これによれば、来場者が表示部６０に当たって、表示部６０を回転させても、カバー部材７がその弾性力で表示部６０を元の位置に復帰させる。また、ポール３と軸部５３との隙間Ｓに指や物が挟まることを抑制できる。
【００２７】
なお、本考案は、前記実施形態に限定されるものではなく、本考案の目的が達成できる他の構成等を含み、以下に示すような変形等も本考案に含まれる。
【００２８】
上述した構成の実施形態では、弾性部材から構成されて、ポール３と軸部５３との隙間を覆うカバー部材７が設けられていたが、本考案はこれに限定されるものではない。図５に示すように、第１スタンド部１１（スタンド装置）は、カバー部材７が省略されてもよい。
【００２９】
また、前記実施形態では、ゲート装置１０は、Ｙ方向の前端部に設置される一対の第１スタンド部１、１（スタンド装置）と、一対の第１スタンド部１、１のＹ方向の後方側に設置される図示例では４本（複数）の第２スタンド部１２と、を有して構成されているが、本考案はこれに限定されるものではない。ゲート装置は、一対の第１スタンド部１、１のみから構成されて、一対の第１スタンド部１、１の間に案内路Ｒを形成するようにしてもよい。また、ゲート装置は、１本の第１スタンド部材１と、該第１スタンド部材１のＹ方向の後方側に並ぶ少なくとも１本の第２スタンド部１２と、を有して構成されていてもよい。この場合には、第１スタンド部１及び第２スタンド部１２を、建物の内壁に対向するように設置して、第１スタンド部１及び第２スタンド部１２との間に案内路Ｒを形成するようにしてもよい。また、建物の通路に、１本のスタンド部１を設置し、表示部６０を回転させて、通路を塞ぐ向きに設置することで、来場者を目的地に案内するようにしてもよい。
【００３０】
前述した実施形態は本考案の好ましい形態を示したに過ぎず、本考案は、これら実施形態に限定されるものではない。即ち、当業者は、従来公知の知見に従い、本考案の骨子を逸脱しない範囲で種々改変して実施することができる。かかる改変によってもなお本考案の衣服の構成を具備する限り、勿論、本考案の範疇に含まれるものである。
【符号の説明】
【００３１】
１、１１    第１スタンド部（スタンド装置）
２          ベース
３          ポール
４          ベルト内蔵部
５３        軸部
６０        表示部
７          カバー部材
【図１】
0003225522.tif 000003
【図２】
0003225522.tif 000004
【図３】
0003225522.tif 000005
【図４】
0003225522.tif 000006
【図５】
0003225522.tif 000007